(57)【要約】      （修正有）【課題】ブラシを形成する各フィラメントの先端をほぼ丸く研磨する。【解決手段】支持フレームに、太陽歯車３３、内歯車３４、太陽歯車と内歯車とに噛み合って周方向に等間隔をおいて配設された複数個の遊星歯車３５からなる遊星歯車機構３を設け、各遊星歯車３に歯間ブラシ１１のホルダーを設ける。また、遊星歯車のホルダーに保持された歯間ブラシのブラシ１４の太陽歯車の軸心回りの周回移動軌跡に沿って円弧状の研磨シート５２を配設し、太陽歯車の回転に連動して円弧状の研磨シートを該研磨シートの円弧面に沿って往復移動させる連動機構を設ける。そして、内歯車を支持フレームに固定した状態で太陽歯車を回転させ、歯間ブラシを自転する遊星歯車を介して長手方向軸心回りに回転させるとともに、公転する遊星歯車を介して周回移動させ、その際、ブラシ先端を往復移動する研磨シートに略接触させ、ブラシ先端を全周にわたってほぼ丸く研磨する。【選択図】図１
2014094133.tif 000002
【特許請求の範囲】
【請求項１】
歯間ブラシをその長手方向軸心回りに回転させるとともに、その長手方向軸心と平行な他の軸心回りに周回移動させる一方、歯間ブラシが長手方向軸心回りに回転しつつ他の軸心回りに周回移動する際、歯間ブラシのブラシの周回移動軌跡に沿って配設された円弧状の研磨シートにブラシ先端を略接触させるとともに、円弧状の研磨シートを該研磨シートの円弧面に沿って往復移動させ、ブラシ先端を全周にわたって研磨することを特徴とする歯間ブラシのブラシ先端研磨方法。
【請求項２】
歯間ブラシをその長手方向軸心の一方向回りに回転させるとともに、その長手方向軸心と平行な他の軸心の一方向回りに周回移動させる一方、歯間ブラシが長手方向軸心回りに回転しつつ他の軸心回りに周回移動する際、歯間ブラシのブラシの周回移動軌跡に沿って配設された円弧状の研磨シートにブラシ先端を略接触させるとともに、円弧状の研磨シートを該研磨シートの円弧面に沿って往復移動させ、ブラシ先端を全周にわたって研磨した後、歯間ブラシをその長手方向軸心の他方向回りに回転させるとともに、その長手方向軸心と平行な他の軸心の他方向回りに周回移動させる一方、歯間ブラシが長手方向軸心回りに回転しつつ他の軸心回りに周回移動する際、歯間ブラシのブラシの周回移動軌跡に沿って配設された円弧状の研磨シートにブラシ先端を略接触させるとともに、円弧状の研磨シートを該研磨シートの円弧面に沿って往復移動させ、ブラシ先端を全周にわたって研磨することを特徴とする歯間ブラシのブラシ先端研磨方法。
【請求項３】
支持フレームに、太陽歯車、内歯車、これらの太陽歯車と内歯車とに噛み合って周方向に等間隔をおいて配置された複数個の遊星歯車からなる遊星歯車機構を設け、各遊星歯車に歯間ブラシのホルダーを設け、また、ホルダーに保持された歯間ブラシにおけるブラシの太陽歯車の軸心回りの周回移動軌跡に沿って円弧状の研磨シートを配設するとともに、円弧状の研磨シートを太陽歯車の回転に連動して該研磨シートの円弧面に沿って往復移動させる連動機構を設けてなり、内歯車を支持フレームに回転不能に支持した状態で太陽歯車を回転させ、歯間ブラシのブラシ先端を研磨シートの円弧面に沿って往復移動する円弧状の研磨シートに略接触させて自転する遊星歯車を介して歯間ブラシを長手方向軸心回りに回転させるとともに、公転する遊星歯車を介して円弧状の研磨シートに沿って周回移動させてブラシ先端を全周にわたって研磨することを特徴とする歯間ブラシのブラシ先端研磨装置。
【請求項４】
請求項３に記載の歯間ブラシのブラシ先端研磨装置において、前記連動機構が、太陽歯車の回転軸と直交し、互いに噛み合う一対のかさ歯車を介して連結された水平軸と、該水平軸に設けられた円盤と、該円盤に水平軸の軸心から偏心した位置に一端が連結されたアームとからなり、アームの他端が垂直な円弧状の研磨シートに連結されることを特徴とする歯間ブラシのブラシ先端研磨装置。
【請求項５】
請求項３又は４に記載の歯間ブラシのブラシ先端研磨装置において、前記ブラシ先端研磨装置を一対併設し、一方の研磨装置における遊星歯車機構の太陽歯車の回転方向と他方の研磨装置における遊星歯車機構の太陽歯車の回転方向とが互いに逆方向であることを特徴とする歯間ブラシのブラシ先端研磨装置。
【発明の詳細な説明】
【技術分野】
【０００１】
この発明は、歯間ブラシのブラシ先端研磨方法及びその装置に関するものである。
【背景技術】
【０００２】
従来より、歯間ブラシが知られている。この歯間ブラシ１１は、図５（ａ）に示すように、金属ワイヤ１２を撚り加工して形成されたワイヤロッド部１３と、このワイヤロッド部１３に直交して、かつ、その長手方向に間隔をおいて半径方向に放射状に突出された複数本のフィラメントからなるブラシ１４と、ワイヤロッド部１３の基部に一体に設けられたプラスチック製基台１５とから構成されている。そして、歯間ブラシ１１の基台１５を摘んでワイヤロッド部１３を歯と歯の間の隙間に出し入れすることにより、ワイヤロッド部１３に固定されたブラシ１４がともに移動し、通常の歯ブラシによるブラッシングでは歯垢清掃が困難な歯の側面部分や根元部分等を清掃することができる。
【０００３】
このような歯間ブラシ１１は、二つ折りした金属ワイヤ１２の間に合成繊維束からなる複数本のフィラメントを挟み込み、金属ワイヤ１２を撚り加工してフィラメントを複数本ずつ複数箇所でねじり止めした後、フィラメントを毛切り加工してブラシ１４を形成し、最後に基台１５をインサート成形等によって形成することで製造される（例えば、特許文献１参照）。
【先行技術文献】
【特許文献】
【０００４】
【特許文献１】特開平７−２２７３１５号公報
【発明の概要】
【発明が解決しようとする課題】
【０００５】
ところで、前述した歯間ブラシのブラシ先端を刃物で毛切り加工すると、ブラシを形成する各フィラメントの先端は、図５（ｂ）に示すように、鋭角状の切断面を有するとともに、その周囲がささくれだって周囲に拡がった形状に切断される。このため、歯間ブラシの使用に際して、ブラシを歯と歯の間へ挿入すると、毛先が固い等の異物感を覚える場合があった。
【０００６】
本発明は、このような問題点に鑑みてなされたもので、ブラシを形成する各フィラメントの先端をほぼ丸く研磨してブラシの歯間への挿入時の異物感の発生を抑制することのできる歯間ブラシのブラシ先端研磨方法及びその装置を提供するものである。
【課題を解決するための手段】
【０００７】
本発明の歯間ブラシのブラシ先端研磨方法は、歯間ブラシをその長手方向軸心回りに回転させるとともに、その長手方向軸心と平行な他の軸心回りに周回移動させる一方、歯間ブラシが長手方向軸心回りに回転しつつ他の軸心回りに周回移動する際、歯間ブラシのブラシの周回移動軌跡に沿って配設された円弧状の研磨シートにブラシ先端を略接触させるとともに、円弧状の研磨シートを該研磨シートの円弧面に沿って往復移動させ、ブラシ先端を全周にわたって研磨することを特徴とするものである。
【０００８】
本発明によれば、歯間ブラシをその長手方向軸心回りに回転させるとともに、その長手方向軸心と平行な他の軸心回りに周回移動させる。また、歯間ブラシのブラシの周回移動軌跡に沿って円弧状の研磨シートを配設してブラシ先端を略接触させるとともに、研磨シートを該研磨シートの円弧面に沿って往復移動させる。これにより、歯間ブラシは、ブラシを形成する各フィラメントの先端が研磨シートの円弧面に沿って往復移動する円弧状の研磨シートに略接触し、わずかに撓んだ状態で回転しながら周回移動することから、各フィラメントの先端を全周にわたってほぼ丸く研磨することができる。
【０００９】
この結果、歯間ブラシを歯間へ挿入する際、ブラシを形成する各フィラメントの先端が歯肉に滑らかに接触し、異物感の発生を抑制することができる。
【００１０】
本発明の歯間ブラシのブラシ先端研磨方法は、歯間ブラシをその長手方向軸心の一方向回りに回転させるとともに、その長手方向軸心と平行な他の軸心の一方向回りに周回移動させる一方、歯間ブラシが長手方向軸心回りに回転しつつ他の軸心回りに周回移動する際、歯間ブラシのブラシの周回移動軌跡に沿って配設された円弧状の研磨シートにブラシ先端を略接触させるとともに、円弧状の研磨シートを該研磨シートの円弧面に沿って往復移動させ、ブラシ先端を全周にわたって研磨した後、歯間ブラシをその長手方向軸心の他方向回りに回転させるとともに、その長手方向軸心と平行な他の軸心の他方向回りに周回移動させる一方、歯間ブラシが長手方向軸心回りに回転しつつ他の軸心回りに周回移動する際、歯間ブラシのブラシの周回移動軌跡に沿って配設された円弧状の研磨シートにブラシ先端を略接触させるとともに、円弧状の研磨シートを該研磨シートの円弧面に沿って往復移動させ、ブラシ先端を全周にわたって研磨することを特徴とするものである。
【００１１】
本発明によれば、歯間ブラシをその長手方向軸心の一方向回りに回転させるとともに、その長手方向軸心と平行な他の軸心の一方向回りに周回移動させる。また、歯間ブラシのブラシの周回移動軌跡に沿って円弧状の研磨シートを配設してブラシ先端を略接触させるとともに、研磨シートを該研磨シートの円弧面に沿って往復移動させる。その後、歯間ブラシをその長手方向軸心の他方向回りに回転させるとともに、その長手方向軸心と平行な他の軸心の他方向回りに周回移動させる。また、歯間ブラシのブラシの周回移動軌跡に沿って円弧状の研磨シートを配設してブラシ先端を略接触させるとともに、研磨シートを該研磨シートの円弧面に沿って往復移動させる。これにより、歯間ブラシは、ブラシを形成する各フィラメントの先端が研磨シートの円弧面に沿って往復移動する円弧状の研磨シートに略接触してわずかに撓んだ状態で一方向に回転しながら一方向に周回移動した後、ブラシを形成する各フィラメントの先端が研磨シートの円弧面に沿って往復移動する円弧状の研磨シートに略接触してわずかに撓んだ状態で先の回転方向とは逆の他方向に回転しながら他方向に周回移動することから、各フィラメントの先端を全周にわたって満遍なく丸く研磨することができる。
【００１２】
この結果、歯間ブラシを歯間へ挿入する際、ブラシを形成する各フィラメントの先端が歯肉に滑らかに接触し、異物感の発生を抑制することができる。
【００１３】
本発明の歯間ブラシのブラシ先端研磨装置は、支持フレームに、太陽歯車、内歯車、これらの太陽歯車と内歯車とに噛み合って周方向に等間隔をおいて配置された複数個の遊星歯車からなる遊星歯車機構を設け、各遊星歯車に歯間ブラシのホルダーを設け、また、ホルダーに保持された歯間ブラシにおけるブラシの太陽歯車の軸心回りの周回移動軌跡に沿って円弧状の研磨シートを配設するとともに、円弧状の研磨シートを太陽歯車の回転に連動して該研磨シートの円弧面に沿って往復移動させる連動機構を設けてなり、内歯車を支持フレームに回転不能に支持した状態で太陽歯車を回転させ、歯間ブラシのブラシ先端を研磨シートの円弧面に沿って往復移動する円弧状の研磨シートに略接触させて自転する遊星歯車を介して歯間ブラシを長手方向軸心回りに回転させるとともに、公転する遊星歯車を介して円弧状の研磨シートに沿って周回移動させてブラシ先端を全周にわたって研磨することを特徴とするものである。
【００１４】
本発明によれば、支持フレームに設けた遊星歯車機構の遊星歯車のホルダーに毛切り加工された歯間ブラシを差し込んで保持した後、太陽歯車を回転させる。ここで、内歯車が支持フレームに対して固定されていることから、太陽歯車及び内歯車に噛み合う各遊星歯車は、太陽歯車の回転によって太陽歯車の回転方向とは逆方向に自転するとともに、太陽歯車の周囲を公転する。一方、遊星歯車の自転及び公転によって遊星歯車のホルダーに保持された歯間ブラシが長手方向軸心回りに回転するとともに太陽歯車の周囲を周回移動することに対応して、歯間ブラシのブラシ先端が略接触するように円弧状の研磨シートが配設されている。しかも、円弧状の研磨シートは、太陽歯車の回転に連動して該研磨シートの円弧面に沿って往復移動する。これにより、歯間ブラシは、ブラシを形成する各フィラメントの先端が研磨シートの円弧面に沿って往復移動する円弧状の研磨シートに略接触してわずかに撓んだ状態で回転しながら周回移動することから、各フィラメントの先端を全周にわたってほぼ丸く研磨することができる。
【００１５】
この結果、歯間ブラシを歯間へ挿入する際、ブラシを形成する各フィラメントが歯肉に滑らかに接触し、異物感の発生を抑制することができる。
【００１６】
本発明において、前記連動機構が、太陽歯車の回転軸と直交し、互いに噛み合う一対のかさ歯車を介して連結された水平軸と、該水平軸に設けられた円盤と、該円盤に水平軸の軸心から偏心した位置に一端が連結されたアームとからなり、アームの他端が垂直な円弧状の研磨シートに連結されることが好ましい。これにより、太陽歯車の回転に連動して水平軸を回転させ、水平軸の軸心と円盤に対するアームとの連結部との偏心距離の２倍の長さ分円弧状の研磨シートをその垂直な円弧面に沿って簡単に上下方向に往復移動させることができる。
【００１７】
本発明において、前記ブラシ先端研磨装置を一対併設し、一方の研磨装置における遊星歯車機構の太陽歯車の回転方向と他方の研磨装置における遊星歯車機構の太陽歯車の回転方向とが互いに逆方向であることが好ましい。これにより、一方の研磨装置において、ブラシを形成する各フィラメントの先端を全周にわたってほぼ丸く研磨した後、他方の研磨装置において、一方の研磨装置による歯間ブラシの回転方向とは逆方向に歯間ブラシを回転させて、ブラシを形成する各フィラメントの先端を全周にわたってほぼ丸く研磨できることから、各フィラメントの先端を全周にわたって満遍なく丸く研磨することができる。
【発明の効果】
【００１８】
本発明によれば、ブラシを形成する各フィラメントの先端をほぼ丸く研磨してブラシの歯間への挿入時の異物感の発生を抑制することができる。
【図面の簡単な説明】
【００１９】
【図１】本発明の歯間ブラシのブラシ先端研磨装置の一実施形態を模式的に示す断面図である。
【図２】図１の研磨装置を一部省略して示す平面図である。
【図３】本発明の研磨装置によって研磨された歯間ブラシ及びそのブラシ先端Ｘ部を拡大して示す説明図である。
【図４】本発明の歯間ブラシのブラシ先端研磨装置の他の実施形態を図２に対応して示す平面図である。
【図５】従来の歯間ブラシ及びそのブラシ先端Ａ部を拡大して示す説明図である。
【発明を実施するための形態】
【００２０】
以下、本発明の実施の形態を図面に基づいて説明する。
【００２１】
図１及び図２には、本発明の歯間ブラシのブラシ先端研磨装置１の一実施形態が示されている。
【００２２】
この研磨装置１は、歯間ブラシ１１におけるストレート状のブラシ１４先端、すなわち、半径方向に放射状に突出する複数本のフィラメントをほぼ同一の長さに揃えたブラシ１４先端を丸く研磨するものであって、支持フレーム２に設けられた遊星歯車機構３と、遊星歯車機構３の太陽歯車３３を回転させる駆動機構４と、遊星歯車機構３の遊星歯車３５の移動軌跡に沿って設けられた研磨ユニット５と、研磨ユニット５を太陽歯車３３の回転に連動して上下方向に往復移動させる連動機構６とから構成され、遊星歯車機構３の各遊星歯車３５に歯間ブラシ１１のホルダー７が設けられるとともに、遊星歯車機構３における歯間ブラシ搬入位置に臨む遊星歯車３５３のホルダー７に研磨対象の歯間ブラシ１１を装着するロボットアーム８Ａ及び遊星歯車機構３における歯間ブラシ搬出位置に臨む遊星歯車３５のホルダー７から研磨された歯間ブラシ１１を取り出すロボットアーム８Ｂがそれぞれ設けられている。
【００２３】
遊星歯車機構３は、支持フレーム２に固定されたケーシング３１と、ケーシング３１に対して回転軸３２を介して回転自在に支持された太陽歯車３３と、ケーシング３１に固定された内歯車３４と、太陽歯車３３及び内歯車３４と噛み合って周方向に等間隔をおいて配設された複数個の遊星歯車３５とからなり、各遊星歯車３５の回転軸３６は、太陽歯車３３の回転軸３２に支持されたキャリアー３７にそれぞれ回転自在に支持されている。
【００２４】
駆動機構４は、支持フレーム２に設けられたモータ４１、例えば、ステッピングモータと、該モータ４１の出力軸及び太陽歯車３３の回転軸３２の下端部にそれぞれ固定されて互いに噛み合う駆動歯車４２及び従動歯車４３からなり、モータ４１が回転駆動すると、駆動歯車４２及び従動歯車４３が回転し、それにより、従動歯車４３が固定された回転軸３２、すなわち、太陽歯車３３が回転する。太陽歯車３３が回転すれば、太陽歯車３３及び内歯車３４とそれぞれ噛み合う各遊星歯車３５が、キャリア３７に支持されて回転軸３６の軸心回りに回転（自転）するとともに、太陽歯車３３の周囲を回転（公転）する。
【００２５】
この実施形態においては、図２において、太陽歯車３３を反時計回り方向に回転させることにより、各遊星歯車３５は、回転軸３６の軸心に関して時計回り方向に自転しつつ太陽歯車３３の周囲を反時計回り方向に公転する。
【００２６】
研磨ユニット５は、半円状の支持プレート５１に沿って紙やすり等の研磨シート５２を貼着して形成され、遊星歯車３５のホルダー７に保持された歯間ブラシ１１の移動軌跡に沿って配設されている。すなわち、研磨ユニット５の研磨シート５２は、上方から見て太陽歯車３３の回転中心から遊星歯車３５にホルダー７を介して保持された歯間ブラシ１１のブラシ１４の外周側先端までの半径に対応する半円状に形成されるとともに、太陽歯車３３の回転中心を中心とする、前述した半径の円周上に配置されている。ここで、遊星歯車３５が太陽歯車３３の周囲を公転する際、遊星歯車３５のホルダー７に保持された歯間ブラシ１１のブラシ１４の外周側先端が研磨シート５２に略接触した状態でほぼ１８０度周回移動するように研磨ユニット５が配置されている。
【００２７】
連動機構６は、太陽歯車３３の回転軸３２の上端部に固定されたかさ歯車６１と、該かさ歯車６１と噛み合う従動かさ歯車６２を一端に固定するとともに、他端に円盤６４を固定した水平軸６３と、水平軸６３の軸心から設定された偏心距離をおいて円盤６４に一端が回転自在に連結されたアーム６５とからなり、アーム６５の他端が研磨ユニット５の支持プレート５１に回転自在に連結されている。
【００２８】
これにより、太陽歯車３３が回転軸３２を介してその軸心回りに回転するとき、かさ歯車６１及び従動かさ歯車６２を介して水平軸６３が回転し、水平軸６３に固定された円盤６４が水平軸６３の軸心回りに回転する。円盤６４が回転すれば、円盤６４に連結されたアーム６５が、水平軸６３の軸心とアーム６５の連結中心との偏心距離を回転半径として水平軸６３の軸心回りに回転する。したがって、アーム６５は、円盤６４に対する偏心距離の２倍の長さ上下方向に往復移動し、研磨ユニット５を遊星歯車３５のホルダー７に保持された歯間ブラシ１１のブラシ１４先端に略接触した状態でその円弧面に沿って昇降させることができる。
【００２９】
次に、このように構成された研磨装置１を用いて歯間ブラシ１１におけるブラシ１４先端を研磨する場合について説明する。
【００３０】
まず、図示しない始動スイッチを操作すると、ロボットアーム８Ａが作動し、毛切り加工された歯間ブラシ１１の搬送ラインから歯間ブラシ１１を把持して取り出した後、遊星歯車機構３における歯間ブラシ搬入位置の遊星歯車３５のホルダー７に差し込む。ホルダー７に歯間ブラシ１１を保持したならば、モータ４１を設定角度回転駆動させ、駆動歯車４２及び従動歯車４３を介して回転軸３２、すなわち、太陽歯車３３をその軸心回りに設定角度反時計回り方向に回転させる。太陽歯車３３が回転すると、遊星歯車３５は、ホルダー７に歯間ブラシ１１を保持した状態で、回転軸３６の軸心に関し時計回り方向に設定角度だけ自転するとともに、太陽歯車３３の周囲を反時計回り方向に設定角度だけ公転する。
【００３１】
モータ４１を介して太陽歯車３３が設定角度だけ回転し、遊星歯車３５が設定角度自転しつつ設定角度公転すれば、モータ４１の駆動を停止させた後、ロボットアーム８Ａを作動させ、歯間ブラシ１１を把持して次の遊星歯車３５のホルダー７に差し込む。以下、同様に、モータ４１を介して太陽歯車３３をその軸心回りに設定角度だけ反時計回り方向に回転させることにより、各遊星歯車３５を、ホルダー７に歯間ブラシ１１を保持した状態で、回転軸３６の軸心回りに時計回り方向に設定角度だけ自転させるとともに、太陽歯車３３の周囲を反時計回り方向に設定角度だけ公転させた後、ロボットアーム８Ａを介して新たな歯間ブラシ１１を次の遊星歯車３５のホルダー７に差し込むことを繰り返す。
【００３２】
一方、太陽歯車３３の回転軸３２が設定角度ずつ回転するとき、回転軸３２に設けられたかさ歯車６１及び従動かさ歯車６２を介して水平軸６３も設定角度ずつその軸心回りに回転する。このため、水平軸６３に設けられた円盤６４が水平軸６３の軸心回りに水平軸６３の回転角度だけ回転し、円盤６４に連結されたアーム６５を、水平軸６３の軸心及び円盤６４に対するアーム６５の連結点間の偏心距離と、水平軸６３の回転角の正弦との積に相当する高さだけ上下方向に移動させる。すなわち、アーム６５に連結された研磨ユニット５をその円弧面に沿って上下方向に移動させる。
【００３３】
このように、太陽歯車３３が反時計回り方向に間欠的に設定角度だけ回転すると、遊星歯車３５が、太陽歯車３３の回転角度に対応する設定角度ずつ時計回り方向に間欠的に自転するとともに、太陽歯車３３の周囲を反時計回り方向に設定角度ずつ間欠的に公転し、さらに、太陽歯車３３の回転角に対応する長さずつアーム６５を介して研磨ユニット５がその円弧面に沿って間欠的に上下方向に移動する。この際、遊星歯車３５のホルダー７に保持された歯間ブラシ１１は、設定長さずつ上下方向に間欠的に移動する研磨シート５２に略接触した状態で、長手方向軸心回りに間欠的に回転しつつ、円弧状の研磨シート５２に沿って間欠的に周回移動する。
【００３４】
したがって、歯間ブラシ１１のブラシ１４先端は、円弧面に沿って上下方向に移動する研磨シート５２に略接触してわずかに撓んだ状態で、周方向に設定角度ずつ回転しながら研磨シート５２に沿って周回移動することにより、歯間ブラシ１１のブラシ１４を形成する各フィラメント先端は、研磨シート５２によって周方向に設定角度ずつ接触位置を変えながら研磨される。
【００３５】
このようにして、太陽歯車３３が設定角度ずつ間欠的に回転することを繰り返すことにより、遊星歯車３５が設定角度ずつ自転しつつ太陽歯車３３の周囲を設定角度ずつ公転し、また、円弧状の研磨シート５２が円弧面に沿って上下方向に移動し、歯間ブラシ１１のブラシ１４先端が全周にわたって研磨される。そして、歯間ブラシ１１を保持する遊星歯車３５が自転しつつ太陽歯車３３の周囲を公転し、歯間ブラシ搬出位置に到達すれば、ロボットアーム８Ｂが作動し、研磨を終えた歯間ブラシ１１を把持して遊星歯車３５のホルダー７から取り出し、図示しない製品搬送ラインに供給する。
【００３６】
この結果、ホルダー７に保持された歯間ブラシ１１は、ブラシ１４先端が円弧状の研磨シート５２に略接触した状態で、長手方向軸心回りに回転するとともに、円弧状の研磨シート５２に沿って周回移動し、さらに、円弧状の研磨シート５２が上下方向に往復移動することにより、ホルダー７に保持された歯間ブラシ１１のブラシ１４を形成する各フィラメント先端を全周にわたってほぼ丸く研磨することができる。
【００３７】
ところで、前述した実施形態においては、太陽歯車３３を反時計回り方向に回転させることにより、時計回り方向に自転しつつ反時計回り方向に公転する遊星歯車３５を介して歯間ブラシ１１を長手方向軸心回りに回転させながら太陽歯車３３の周囲を周回移動させ、その際、上下方向に往復移動する円弧状の研磨シート５２に歯間ブラシ１１のブラシ１４先端を略接触させて、ブラシを形成する各フィラメント先端をほぼ丸く研磨する場合を例示したが、歯間ブラシ１１の長手方向軸心回りの回転方向と太陽歯車３３周囲の周回移動方向が一定となり、ブラシを形成する各フィラメント先端は、歯間ブラシの長手方向軸心回りの回転方向と太陽歯車３３周囲の周回移動方向に沿ってわずかに撓むことでほぼ丸く研磨される。
【００３８】
したがって、ブラシを形成する各フィラメント先端のうち、歯間ブラシの長手方向軸心回りの回転方向と太陽歯車３３周囲の周回移動方向の反対側は、研磨されずに残されている可能性がある。このため、ブラシを形成する各フィラメント先端を満遍なく丸く研磨するためには、太陽歯車の回転方向を変えて再度研磨することが好ましい。
【００３９】
具体的には、図４に示すように、第１の研磨装置１Ａ及び第２の研磨装置１Ｂを併設し、まず、第１の研磨装置１Ａにおいて、前述したように、太陽歯車３３を反時計回り方向に回転させることにより、時計回り方向に自転しつつ反時計回り方向に公転する遊星歯車３５を介して歯間ブラシ１１を長手方向軸心回りに回転させながら太陽歯車３３の周囲を周回移動させ、上下方向に往復移動する円弧状の研磨シート５２に歯間ブラシ１１のブラシ１４先端を略接触させ、その移動方向に対応してわずかに撓ませてほぼ丸く研磨する。
【００４０】
次いで、第１の研磨装置１Ａにおいて研磨された歯間ブラシ１１を歯間ブラシ搬出位置のホルダー７からロボットアーム８Ｂを介して取り出した後、第２の研磨装置１Ｂの遊星歯車機構３における歯間ブラシ搬入位置に臨む遊星歯車３５のホルダー７に装着する。一方、第２の研磨装置１Ｂにおいては、太陽歯車３３を時計回り方向に回転させることから、第１の研磨装置１Ａとは逆方向、すなわち、反時計回り方向に自転しつつ時計回り方向に公転する遊星歯車３５を介して歯間ブラシ１１を長手方向軸心回りに回転させながら太陽歯車３３の周囲を周回移動させ、上下方向に往復移動する円弧状の研磨シート５２に歯間ブラシ１１のブラシ１４先端を略接触させ、その移動方向に対応してわずかに撓ませてほぼ丸く研磨する。そして、第２の研磨装置１Ｂにおいて研磨された歯間ブラシ１１を歯間ブラシ搬出位置のホルダー７からロボットアーム８Ｃを介して取り出した後、製品搬送ラインに供給する。
【００４１】
これにより、歯間ブラシ１１のブラシ１４先端を回転方向を変えて研磨することが可能となり、ブラシを形成する各フィラメント先端を満遍なく丸く研磨することができる。
【符号の説明】
【００４２】
１  研磨装置
２  支持フレーム
３  遊星歯車機構
３３  太陽歯車
３４  内歯車
３５  遊星歯車
４  駆動機構
５  研磨ユニット
５２  研磨シート
６  連動機構
６１，６２  かさ歯車
６３  水平軸
６４  円盤
６５  アーム
７  ホルダー
１１  歯間ブラシ
１４  ブラシ
【図１】
2014094133.tif 000003
【図２】
2014094133.tif 000004
【図３】
2014094133.tif 000005
【図４】
2014094133.tif 000006
【図５】
2014094133.tif 000007